(57)【要約】【課題】  ベゼルの回転操作性を損なうことなく、不用意にベゼルが回転してずれることを抑制できる携帯時計を提供することにある。【解決手段】  カバーガラス４が内周に取付けられる胴３の円環状凸部３ａの周囲に、環状のベゼル１１を回転可能に配設する。ベゼル１１を胴３に対して所望の回転位置に静止させる弾性材料製のパッキン１２を、ベゼル１１と胴３との間にこれらに摩擦力を与える状態に挟設する。胴３に対してベゼル１１を静止状態に保持すると共にこの保持状態を解放可能な保持機構２１をパッキン１２とは別に設ける。これにより、保持機構２１でベゼル１１の回転を拘束しベゼル１１の不用意な回転を抑制して、ベゼル１１の回転を抑制する機能をパッキン１２が担わなくしたことで、ベゼル１１の回転操作を軽くしている。【選択図】    図２
2005189078.tif 000002
【特許請求の範囲】
【請求項１】
カバーガラスが内周に取付けられる円環状凸部を有した胴と、
前記円環状凸部の周囲に回転可能に配設された環状のベゼルと、
このベゼルと前記胴との間にこれらに摩擦力を与える状態に挟設され、前記胴に対して前記ベゼルを所望の回転位置に静止させる弾性材料製の環状パッキンと、
このパッキンとは別に設けられ前記胴に対して前記ベゼルを静止状態に保持すると共にこの保持状態を解放可能な保持機構と、
を具備した携帯時計。
【請求項２】
前記保持機構が、前記胴に設けられた滑り止め部と、この滑り止め部に接触するように前記ベゼルに移動可能に設けられたロック部材と、このロック部材を前記滑り止め部に押し付ける作用面を有して回転操作可能に設けられた保持リングとを備えている請求項１に記載の携帯時計。
【請求項３】
前記保持リングが、前記胴に回転可能に支持されている請求項２に記載の携帯時計。
【請求項４】
前記滑り止め部が、前記胴に設けられたローレット加工面で形成されている請求項２又は３に記載の携帯時計。
【請求項５】
前記滑り止め部が、前記胴に固定された硬質なゴムで形成されている請求項２又は３に記載の携帯時計。
【請求項６】
前記保持機構が、前記ロック部材を前記保持リングに向けて付勢する付勢体を有している請求項２から４の内のいずれか１項に記載の携帯時計。
【発明の詳細な説明】
【技術分野】
【０００１】
本発明は、腕時計や懐中時計等の携帯時計に係り、特に、胴にベゼルが回転可能に取付けられた携帯時計に関する。
【背景技術】
【０００２】
携帯時計の胴に回転可能に取付けられたベゼルは、それを回転させて任意の位置に合わせることで、様々な機能を発揮でき、携帯時計の付加価値を高めるのに貢献できる。
【０００３】
従来、胴にベゼルを回転可能に取付けるために、風防ガラスが内周に取付けられる段部を胴の上部外周に全周に渡って形成し、この段部の外周に環状の突条を形成し、胴の段部に回転可能に嵌合されるベゼルの内周に形成した突条を段部外周の突条に下方より係合させて、ベゼルを外れ止めするとともに、このベゼルと段部との間にＯリングを介在させた腕時計が知られている（特許文献１参照。）。
【特許文献１】特開平１０−２３９４５４号公報（段落０００２−０００５、図１９−図２３）
【発明の開示】
【発明が解決しようとする課題】
【０００４】
特許文献１の構成では、ベゼルを円滑に回転させるために、これと胴の段部との間にＯリングを挟んでいるので、ベゼルを所望とする位置に回転操作することは容易である。しかし、簡単に回転操作できるベゼルは、胴に対する静止状態の保持力が弱いため、使用者が折角合わせた回転位置から、予期せぬ外的要因やはずみ等により、使用者が望まない位置に不用意にずれてしまい易い。
【０００５】
この点を考慮して、前記Ｏリングの挟み力を強くして摩擦抵抗力を増やす場合には、ベゼルの不用意な回転を抑制できる。しかし、この逆に、使用者がベゼルを回転させる場合に、その回転が重くなって操作性が悪くなる。
【０００６】
本発明が解決しようとする課題は、ベゼルの回転操作性を損なうことなく、不用意にベゼルが回転してずれることを抑制できる携帯時計を提供することにある。
【課題を解決するための手段】
【０００７】
前記課題を解決するために、本発明は、胴の円環状凸部の周囲に環状のベゼルを回転可能に配設し、このベゼルを胴に対して所望の回転位置に静止させる弾性材料製の環状パッキンを、ベゼルと胴との間にこれらに摩擦力を与える状態に挟設し、このパッキンとは別に胴に対してベゼルを静止状態に保持すると共にこの保持状態を解放可能な保持機構を設けている。
【０００８】
この発明では、胴に対して所望の位置に使用者により回転されたベゼルを、その位置に静止状態に保持する保持機構を備えている。この保持機構を操作して保持機能を発揮させることによって、所望位置に回転されたベゼルを拘束して、このベゼルが予期せぬ外的要因等で不用意に回転して位置ずれすることを抑制できる。そして、保持機構を操作してベゼルを静止させる保持状態を解放した場合には、この解放状態下でベゼルを所望回転位置に回転操作することができる。これにより、パッキンの摩擦抵抗力を増やしてベゼルの回り止めをする必要がなくなる。したがって、ベゼルの回転操作に対するパッキンの摩擦抵抗が小さいので、ベゼルを軽く回転させて所望の位置に動かすことができる。
【０００９】
又、本発明の好ましい形態では、前記保持機構が、前記胴に設けられた滑り止め部と、この滑り止め部に接触するように前記ベゼルに移動可能に設けられたロック部材と、このロック部材を前記滑り止め部に押し付ける作用面を有して回転操作可能に設けられた保持リングとを備えている。このため、保持リングの回転操作で、その作用面を介してロック部材をベゼルに対して動かすことができる。それに伴いロック部材を胴の滑り止め部に押付けて、胴に対してベゼルを静止状態に保持する保持機能を発揮させることができる。この逆に、保持リングの回転操作で前記押付けを解消させることにより、ベゼルを静止状態に保持する機能が解放され、ベゼルを回転操作可能とできる。このように保持リングの簡単な回転操作で保持機構を動作させることができる点で好ましい。
【００１０】
又、本発明の好ましい形態では、前記保持リングが、前記胴に回転可能に支持されているので、ベゼルを所望位置に静止させるための保持リングの回転がベゼルに伝わることが抑制され、ベゼルを不用意に回転させない点で好ましい。
【００１１】
又、本発明の好ましい形態では、前記滑り止め部が、前記胴に設けられたローレット加工面で形成されているので、格別に滑り止め部材を要することなく、ロック部材が胴に沿って滑らないようにしてベゼルを所望位置に静止させるための回転抵抗を得ることができる点で好ましい。
【００１２】
又、本発明の好ましい形態では、前記滑り止め部が、前記胴に固定された硬質なゴムで形成されているので、この滑り止め部とロック部材との間に大きな摩擦抵抗を得て、ロック部材が胴に沿って滑らないようにしてベゼルを所望位置に静止させるための回転抵抗を得ることができる点で好ましい。
【００１３】
又、本発明の好ましい形態では、前記保持機構が、前記ロック部材を前記保持リングに向けて付勢する付勢体を有しているので、保持機構によるベゼルの保持状態が解放されるに伴い、ロック部材を滑り止め部から確実に離すことができ、これにより、ベゼルを回転操作する際に、ロック部材が回転の邪魔にならないようにできる点で好ましい。
【発明の効果】
【００１４】
本発明によれば、保持機構でベゼルの回転を拘束し不用意なベゼルの回転を抑制するとともに、ベゼルの回転を抑制する機能をパッキンが担わなくしたので、ベゼルの回転操作性を損なうことなく、不用意にベゼルが回転してずれることを抑制できる携帯時計を提供できる。
【発明を実施するための最良の形態】
【００１５】
図１〜図３を参照して本発明の第１実施形態を説明する。
【００１６】
図１中符号１は携帯時計例えば腕に装着して使用される腕時計を示している。この腕時計１が備える時計外装組立２内には文字板１０及び図示しない時計ムーブメントなどが収容されている。時計外装組立２は、図２に示すように金属又は硬質合成樹脂等により環状に作られた胴３を備えている。この胴３の厚み方向一面（正面）にはカバーガラス４が液密に装着され、胴３の厚み方向他面（裏面）には裏蓋（図示しない）が取外し可能に装着されている。カバーガラス４を通して文字板１０は視認可能である。
【００１７】
図２に示すように胴３は、その正面側に、円環状凸部３ａと、この円環状凸部３ａの基端にほぼ直角に連なった環状の外装肩面３ｂと、この外装肩面３ｂに連なったリング支え部３ｃとを有している。円環状凸部３ａの内周にカバーガラス４が装着されている。リング支え部３ｃは、例えば円環状凸部３ａと同心的にかつ同方向に突設されており、その内周面に雌ねじ部５が形成されている。
【００１８】
円環状凸部３ａの外周面には、いずれも周方向に沿って環状に連続する突起６と、逃げ溝７と、後述する保持機構２１の滑り止め部８とが設けられている。突起６を境に円環状凸部３ａの先端側に位置する円環状凸部３ａの外周面は、パッキン受け面９として用いられている。逃げ溝７は、突起６を境にパッキン受け面９と反対側、つまり、円環状凸部３ａの基端側に形成されている。滑り止め部８はパッキン受け面９より更に円環状凸部３ａの基端側に寄せて形成されている。
【００１９】
滑り止め部８はローレット工具を用いて円環状凸部３ａの外周面にローレット目を加工してなるローレット加工面で作られている。図３は、円環状凸部３ａの周方向と直交して軸方向に延びる縦のローレット目を、円環状凸部３ａの周方向に一定間隔で設けてなる滑り止め部８を例示している。このように滑り止め部８を円環状凸部３ａの外周に直接加工したローレット加工面で形成したので、格別に滑り止め部材を要しない。
【００２０】
なお、この構成に代えて、予め外周にローレット目が施された滑り止めリングを、円環状凸部３ａとは別に用意して、この滑り止めリングを円環状凸部３ａの外周に接着材を用いた接着や溶接止め又はかしめ等により固定して、円環状凸部３ａの外周面に滑り止め部８を設けてもよい。
【００２１】
図１及び図２に示すように時計外装組立２は、胴３に回転可能に取付けられて例えば飾りリングとして機能するベゼル１１を備えている。ベゼル１１は、金属又は硬質合成樹脂等により円環状に作られており、円環状凸部３ａの周囲に回転可能に配設されている。
【００２２】
すなわち、図２に示すようにベゼル１１の内周には、この内周に沿って環状に連続する溝１１ａと係合凸部１１ｂとが設けられていて、溝１１ａにはパッキン１２が取付けられている。パッキン１２はエラストマーや合成ゴム等の弾性材料でリング状に作られている。ベゼル１１は、円環状凸部３ａの外周に嵌合されることによって胴３に取付けられている。このベゼル１１の装着状態において、係合凸部１１ｂは逃げ溝７に入り込んで突起６に引っ掛けられており、パッキン１２は円環状凸部３ａの外周のパッキン受け面９とベゼル１１の内周との間に挟設されている。突起６と係合凸部１１ｂとの係合によってベゼル１１が外れ止めされている。
【００２３】
パッキン１２は、胴３に対してベゼル１１を所望の回転位置に静止させるために、弾性変形されて、円環状凸部３ａの外周とベゼル１１の内周とに夫々摩擦抵抗力を与えている。図１及び図２中符号１１ｃはベゼル１１の外周面に形成された指滑り止め用の凹凸を示している。ベゼル１１の凹凸１１ｃに指をかけて前記摩擦抵抗力に勝る回転操作力をベゼル１１に加えることにより、このベゼル１１を回転させて所望とする位置に移動させることができる。
【００２４】
時計外装組立２には、ベゼル１１を任意の回転位置で静止させた状態を保持すると共に、この保持状態をベゼル１１の回転操作の際に解放可能な保持機構２１が設けられている。図２に示すように保持機構２１は、前記滑り止め部８と、ロック部材２２と、保持リング２３と、付勢体例えばコイルばね２４とを備えている。
【００２５】
すなわち、ベゼル１１の少なくとも一箇所、好ましくはベゼル１１の周方向に等間隔に複数箇所、例えばベゼル１１の径方向に対応する２箇所に、ベゼル１１の半径方向に沿って段付き孔２５（図２に１つのみ図示）が開けられている。これら段付き孔２５の夫々にロック部材２２が通されている。ロック部材２２をベゼル１１の周方向に複数箇所好ましくは等間隔に配設することは、ロック部材２２によるベゼル１１の不用意な回転止めが、ベゼル１１の周方向に沿って複数箇所で行われるため、バランスがよい点で好ましい。
【００２６】
ロック部材２２は、金属又は硬質合成樹脂からなり、図２及び図３に示すように例えば一端部が滑り止め部８に接する軸状の主部の他端に、この主部より大形たとえば大径に作られた頭部２２ａを設けたピン状をなしている。ロック部材２２はカム従節として機能するものであって、その頭部２２ａはカム従節面２２ｃを有している。このカム従節面２２ｃは例えば半球面をなしている。ロック部材２２の軸長は段付き孔２５より長い。
【００２７】
なお、ロック部材２２は、ピン状には限らず、その主部はベゼル１１の周方向に延びる板形状をなしていてもよい。このロック部材２２の滑り止め部８に接する端面は、例えば半球状をなしているが、これに代えて円環状凸部３ａの外周面に沿う円弧状面として、滑り止め部８との接触面積を大きくすることはより好ましい。
【００２８】
保持リング２３は、金属又は硬質合成樹脂からなり、その外径はベゼル１１の最大径より大きい。図２に示すように保持リング２３の外周部には、このリング２３の厚み方向に位置をずらせて指滑り止め用の凹凸２６と、雄ねじ部２７とが形成されている。保持リング２３の雄ねじ部２７は胴３の雌ねじ部５に噛み合わされている。この噛み合せ状態を変えることによって、保持リング２３は胴３の厚み方向に移動可能に取付けられている。この取付け状態において、ベゼル１１との干渉を抑制しつつ保持リング２３の回転操作ができるように、ベゼル１１の凹凸１１ｃよりも径方向外側に凹凸２６が位置されている。
【００２９】
保持リング２３の内周にはロック部材２２の頭部２２ａと接触する作用面として例えば斜状のカム面２８が形成されている。このカム面２８は周方向に連続している。保持リング２３が外装肩面３ｂに寄るように締付け方向に回転操作された際に、ロック部材２２はカム面２８によって滑り止め部８に押付けられるようになっている。なお、図２中符合Ｐは保持リング２３によってロック部材２２に与えられる軸方向移動寸法を誇張して示している。
【００３０】
コイルばね２４は段付き孔２５の段部とロック部材２２の頭部２２ａとの間に圧縮状態で挟まれている。このコイルばね２４によって、ロック部材２２の頭部２２ａがカム面２８との接触を維持するように、ロック部材２２が保持リング２３に向けて付勢されている。
【００３１】
図２中符号３１は節度付与機構を示している。この節度付与機構３１は、胴３にその外装肩面３ｂに開放して形成された環状の溝３２に収容された板ばね３３と、ベゼル１１の裏面に周方向に沿って一定間隔ごとに形成した係止凹部（一つのみ図示する。）３４とを備えて形成されている。板ばね３３は、溝３２に固定される環状部３３ａの複数箇所から斜めに切り起こされたばね片３３ｂとを有している。これらばね片３３ｂの弾性変形を伴ってばね片３３ｂの先端部が係止凹部３４に係脱して、ベゼル１１の回転操作にクリック感を与えることができる。なお、ばね片３３ｂの先端部と係止凹部３４の形状を考慮することにより、節度付与下でのベゼル１１の回転を、一方向回転に規制することも、又、双方向回転を許すようにすることも可能である。又、節度付与機構３１は省略することも可能である。
【００３２】
以上の構成を備えた腕時計１では、保持機構２１の保持リング２３のねじ込みが緩むようにこの保持リング２３を手で回転操作することによって、図２中矢印Ａ方向に保持リング２３が移動する。これに伴い、ロック部材２２がコイルばね２４で押し戻されて、保持リング２３のカム面２８がロック部材２２を胴３の滑り止め部８に押付けなくなる。つまり、静止状態にあるベゼル１１を保持機構２１で静止状態に保持（固定）することが解放されて、ベゼル１１が回転可能な状態となる。
【００３３】
したがって、この状態で、パッキン１２により与えられている摩擦抵抗力及び節度付与機構３１に抗して、ベゼル１１を胴３に対して所望の回転位置に回転操作することができる。この回転操作後に、保持機構２１の保持リング２３を締付け方向に回転操作することによって、所望の位置に回転されたベゼル１１を、その位置から動かないように静止状態に保持できる。
【００３４】
すなわち、保持リング２３はその締付けに伴って図２中矢印Ｂ方向、つまり、胴３の外装肩面３ｂに近づけられる。このため、ロック部材２２の頭部２２ａと接触している保持リング２３のカム面２８によって、ロック部材２２が、円環状凸部３ａの外周の滑り止め部８に押付けられる。この押付け状態は、保持リング２３が胴３のリング支え部３ｃに螺合して支持されていることにより、保持リング２３を緩めない限り維持される。
【００３５】
この場合、所望位置に静止されたベゼル１１を固定するために、保持リング２３を最終的に締付けるに伴い、この保持リング２３には大きな操作力が作用する。しかし、それにも拘らず、保持リング２３が胴３のリング支え部３ｃに噛み合わされて支持されているので、保持リング２３に与えられる回転操作力は、胴３には加わるが、ベゼル１１には伝わらない。これにより、ベゼル１１が不用意に回転される恐れがない。
【００３６】
この状態では、ロック部材２２が滑り止め部８と保持リング２３との間に突っ張るような状態に挟まれているとともに、このロック部材２２が滑り止め部８に強く押付けられている。このため、ベゼル１１にこれを回転させる外力が望まずして作用した場合、滑り止め部８での回転抵抗によって、胴３の周方向にずれることが抑制されているロック部材２２がストッパとなって、ベゼル１１が胴３の周方向に不用意にずれることを抑制できる。
【００３７】
以上のように保持機構２１の保持機能を発揮させることによって、所望位置に回転されたベゼル１１を拘束して、このベゼル１１が不用意に回転して位置ずれすることを抑制できるとともに、既述のように保持機構２１による保持機能を低下させて、ベゼル１１を静止させる保持状態を解放した場合には、この解放状態下でベゼル１１を所望回転位置に回転させることができる。これらの操作においては、保持機構２１を動作させるのに、その保持リング２３を回転操作すればよいので、操作が簡単である。
【００３８】
前記構成の保持機構２１を備えたことにより、ベゼル１１が不用意に回転されないようにパッキン１２の摩擦抵抗力を過大に増やす必要がない。これにより、ベゼル１１の回転操作に対するパッキン１２の摩擦抵抗を小さくできる。したがって、ベゼル１１を軽く回転させて所望の位置に動かすことができる。
【００３９】
この場合、ロック部材２２が保持リング２３に向けてコイルばね２４で付勢されているので、ベゼル１１を静止状態に保持した固定状態が解放されるに伴い、ロック部材２２を滑り止め部８から確実に離すことができる。このため、ベゼル１１を回転操作する際に、ロック部材２２が回転の邪魔にならないようにできる。
【００４０】
図４及び図５は本発明の第２実施形態を示している。この実施形態は基本的には第１実施形態と同じであるので、同じ構成ないしは同じ機能をなす部分には第１実施形態と同じ符号を付して、その説明を省略し、以下第１実施形態とは異なる部分を説明する。
【００４１】
第２実施形態では、滑り止め部８が胴３の円環状凸部３ａの外周に接着などにより固定された硬質なゴムの層で形成されている。このようにゴム製の滑り止め部８を用いることは、これとロック部材２２との間に大きな摩擦抵抗を得られるので、ベゼル１１を所望位置に静止させるための大きな回転抵抗を得ることができる点で好ましい。
【００４２】
又、第２実施形態では、リング支え部３ｃが、外装肩面３ｂから下がった段部で形成されているとともに、この段部の起立面に周方向に連続する突起１５を有している。保持リング２３は、その内周に作用面として機能するカム面２８と共に係合凸部１６を有している。係合凸部１６は、保持リング２３の周方向に沿って連続して設けられていて、突起１５に図４中下方から引っ掛かって保持リング２３を外れ止めしている。これらの突起１５と係合凸部１６は、第１実施形態で互いに噛合った雄ねじ部と雌ねじ部とに代えて設けられたものである。保持リング２３は周方向に回転可能に設けられている。なお、保持リング２３の回転は所定角度だけであってもよい。
【００４３】
保持リング２３の内周面に設けられたカム面２８は、図５に示すように同一半径で描かれる円弧面２８ａと、この円弧面２８ａに連続する斜状面２８ｂ１を有して保持リング２３の内周面の一部を凹ませた逃げ面２８ｂとからなる。胴３の半径方向に沿う滑り止め部８と円弧面２８ａとの間の離間寸法Ｅは、ロック部材２２を滑り止め部８に十分に押付けるに足りる程度にロック部材２２の全長Ｌよりも短く設定されている。胴３の半径方向に沿う滑り止め部８と逃げ面２８ｂの最も深い部分との間の離間寸法Ｆは、ロック部材２２の全長Ｌよりも長く設定されている。
【００４４】
このような寸法関係により、保持リング２３の回転操作で、カム面２８の円弧面２８ａがロック部材２２の頭部２２ａに接した状態では、ロック部材２２が円環状凸部３ａに寄せられて滑り止め部８に強く押付けられる。このため、所望位置に回転されたベゼル１１を拘束して、このベゼル１１が不用意に回転して位置ずれすることを抑制できる。又、保持リング２３の回転操作で、カム面２８の逃げ面２８ｂの最深部にロック部材２２の頭部２２ａが配置された状態では、コイルばね２４の付勢力でロック部材２２がその頭部２２ａを逃げ面２８ｂの最深部に接するように移動される。このため、ロック部材２２を滑り止め部８に対して軽微に接した状態又はロック部材２２を滑り止め部８から離すことができる。
【００４５】
以上説明した点以外の構成は、図４及び図５に示されない構成を含めて第１実施形態と同じである。したがって、この第２実施形態でも、第１実施形態と同様な作用を得て、本発明の課題を解決できる。しかも、保持リング２３を回転操作する際に、この保持リング２３の回転量が少なくて済むので好ましい。更に、第２実施形態では、保持リング２３をその内側においてリング支え部３ｃに支持させたので、保持リング２３の外周全体に凹凸２６を設けることができる。このため、保持リング２３に対する使用者の指の掛かりが良くなり、保持リング２３の回転操作性を向上できるので好ましい。
【００４６】
図６は本発明の第３実施形態を示している。この実施形態は基本的には第１実施形態と同じであるので、同じ構成ないしは同じ機能をなす部分には第１実施形態と同じ符号を付して、その説明を省略し、以下第１実施形態とは異なる部分を説明する。
【００４７】
第３実施形態では、ベゼル１１が、ベゼルボディ１１Ｃとこれに正面側から固定されたベゼルプレート１１Ｄとから形成されている。外周部に凹凸１１ｃを有したベゼルプレート１１Ｄは、ベゼルボディ１１Ｃに保持リング２３を取付けてからベゼルボディ１１Ｃに固定される。ベゼルボディ１１Ｃにその厚み方向に貫通する段付き孔２５が開けられている。ベゼルボディ１１Ｃはリング支え部としても機能するものであって、そのために、ベゼルボディ１１Ｃの外周部には雄ねじ部２７が形成されている。保持リング２３が有する雌ねじ部５は、胴３ではなくベゼルボディ１１Ｃに噛み合わされている。このため、保持リング２３を回転することにより、この保持リング２３はベゼル１１の厚み方向に沿って移動される。
【００４８】
保持リング２３はその内側に突出する円環状の押え部２３ａを有している。この押え部２３ａは、ベゼルボディ１１Ｃの段付き孔２５の上端が開口した面とベゼルプレート１１Ｄとの間に入り込んでいる。この押え部２３ａが有する平坦な環状面からなる作用面２８は、段付き孔２５に挿入されたロック部材２２の頭部２２ａに接している。又、胴３の外装肩面３ｂに円環状の滑り止め部８が設けられている。この滑り止め部８は、例えばゴム材料などからなり、外装肩面３ｂに設けた溝に埋め込み固定されている。なお、滑り止め部８はローレット加工面で形成することもできる。
【００４９】
以上のように保持機構２１をベゼル１１及び胴３の厚み方向に沿うように設けた関係により、胴３にはリング支え部は設けられていない。又、ベゼル１１の回転操作にクリック感を与える節度付与機構３１は、ばね片３３ｂの先端部と係止凹部３４の形状とを考慮して、節度付与下でのベゼル１１の回転を一方向回転に規制する。この回転規制は、保持リング２３が外装肩面３ｂに寄るように回転操作される際のベゼル１１の回転を許さないためである。それにより、保持リング２３を最終的に強く締込む回転操作に伴ってベゼル１１が不用意に連れ回りして、ベゼル１１の位置がずれることを防止するようになっている。
【００５０】
以上説明した点以外の構成は、図６に示されない構成を含めて第１実施形態と同じである。したがって、この第３実施形態でも、第１実施形態と同様な作用を得て、本発明の課題を解決できる。更に、第３実施形態では、保持リング２３をその内側においてベゼル１１に支持させたので、保持リング２３の外周全体に凹凸２６を設けることができる。このため、保持リング２３に対する使用者の指の掛かりが良くなり、保持リング２３の回転操作性を向上できるので好ましい。なお、第３実施形態で、保持リング２３の押え部２３ａの作用面２８に、第２実施形態で説明したような逃げ面を設ける場合には、保持リング２３を回転操作する際に、この保持リング２３の回転量を少なくできる。
【００５１】
本発明は前記各実施形態には制約されない。例えば、第１実施形態においてその保持機構２１を、第３実施形態で説明したようにベゼル１１及び胴３の厚み方向に沿って縦に配設するとともに、円環状の押え部２３ａを有した保持リング２３を胴３のねじ部に噛合わせて胴３の厚み方向に移動可能に設けて実施することも可能である。
【図面の簡単な説明】
【００５２】
【図１】本発明の第１実施形態に係る腕時計を示す平面図。
【図２】図１中Ｆ２−Ｆ２線に沿って保持機構回りを示す断面図。
【図３】図２の保持機構の滑り止め部とロック部材との関係を示す断面図。
【図４】本発明の第２実施形態に係る腕時計の保持機構回りを示す図２相当の断面図。
【図５】図４の保持機構の滑り止め部とロック部材との関係を示す断面図。
【図６】本発明の第３実施形態に係る腕時計の保持機構回りを示す図２相当の断面図。
【符号の説明】
【００５３】
１…腕時計（携帯時計）
２…時計外装組立
３…胴
３ａ…円環状凸部
３ｂ…外装肩面
３ｃ…リング支え部
４…カバーガラス
５…雌ねじ部
６…突起
８…滑り止め部
１１…ベゼル
１２…パッキン
１５…突起
１６…係合凸部
２１…保持機構
２２…ロック部材
２２ａ…頭部
２３…保持リング
２４…コイルばね（付勢体）
２５…段付け孔
２７…雄ねじ部
２８…カム面
２８ａ…面
２８ｂ…逃げ面
２８ｂ１…斜状面
【図１】
2005189078.tif 000003
【図２】
2005189078.tif 000004
【図３】
2005189078.tif 000005
【図４】
2005189078.tif 000006
【図５】
2005189078.tif 000007
【図６】
2005189078.tif 000008